(57)【特許請求の範囲】
【請求項１】
互いに光の透過波長が異なる複数のフィルタが一列に配列されたフィルタマガジンを複数備え、
該複数のフィルタマガジンが、一方向に並べて配列され、
前記複数のフィルタマガジンに含まれる前記フィルタのうちの少なくとも１つのフィルタを透過した光を検出する光検出器が、前記フィルタの配列方向に複数配列された光検出ユニットを備え、
該光検出ユニットが、前記一方向に前記複数のフィルタマガジンに並列させて配置され、
前記複数のフィルタマガジンおよび前記光検出ユニットが、前記フィルタの配列方向に移動可能に構成されていることを特徴とする光検出装置。
【請求項２】
前記複数のフィルタマガジンのうちの前記光検出ユニット側に配置されたフィルタマガジンの少なくとも一か所に外光を遮光する遮光筒を有する請求項１記載の光検出装置。
【請求項３】
前記フィルタマガジンに含まれるフィルタの種類の情報を取得し、該種類の情報に基づいて、前記フィルタマガジンの前記フィルタの配列方向の位置を制御する制御部を備えた請求項１または２記載の光検出装置。
【請求項４】
前記フィルタの種類の情報の入力を受け付けるフィルタ情報受付部を備えた請求項３記載の光検出装置。
【請求項５】
前記フィルタが、該フィルタの種類の情報を保持するフィルタ情報保持部を有する請求項３記載の光検出装置。
【請求項６】
前記複数のフィルタマガジンのうちの少なくとも１つが着脱可能である請求項１から５いずれか１項記載の光検出装置。
【請求項７】
前記フィルタマガジンに含まれる複数のフィルタのうちの少なくとも１つが前記フィルタマガジンに対して着脱可能である請求項１から６いずれか１項記載の光検出装置。
【請求項８】
前記複数のフィルタマガジンおよび前記光検出ユニットが、鉛直方向に並べて配置されている請求項１から７いずれか１項記載の光検出装置。
【請求項９】
前記光検出ユニットを移動させるリニアモータを備えた請求項１から８いずれか１項記載の光検出装置。
【請求項１０】
着脱可能に構成された前記フィルタマガジンが、
複数の前記フィルタが並べて配置されるフィルタトレイと、光検出装置本体に対して係合することによって前記フィルタトレイの移動を規制するロックレバーとを有し、
該ロックレバーが、前記フィルタトレイの前記フィルタの配列方向の端部に回動可能に設けられ、
前記ロックレバーの回動軸を前記フィルタトレイに固定する固定部が前記フィルタトレイの端部の内側の面に設けられている請求項６記載の光検出装置。
【請求項１１】
前記フィルタマガジンが、前記光検出装置本体に対して、前記フィルタの配列方向に直交する方向に挿入されて装着され、
前記ロックレバーが、前記フィルタの配列方向に直交する方向に延びる部材から構成され、かつ該ロックレバーの前記光検出装置への挿入方向の先端部が、前記挿入方向に対して内側に折り曲げられている請求項１０記載の光検出装置。
【発明の詳細な説明】
【技術分野】
【０００１】
本発明は、フィルタを透過した光を検出する光検出装置に関するものである。
【背景技術】
【０００２】
従来、蛍光標識されたタンパク質、ペプチドおよび核酸などを含むゲル支持体、あるいは放射性物質で標識された生体由来物質を密着させた後にそれを取り除いた蓄積性蛍光体シートなどの被検体に励起光を照射し、この励起光の照射によって発生した蛍光を検出して蛍光画像を読み取る画像読取装置が種々提案されている。
【０００３】
具体的には、たとえば特許文献１には、蛍光標識されたゲル支持体と蓄積性蛍光体シートとの両方の蛍光画像を読取可能な画像読取装置が提案されている。特許文献１に記載の画像読取装置のように、複数種類の被検体の蛍光画像を読み取る場合、各被検体の種類に応じた波長の励起光を照射し、異なる波長を有する蛍光をそれぞれ検出する必要がある。
【０００４】
一方、上述したような画像読取装置においては、フォトマルチプライアなどの蛍光を検出する検出器に対し不要な励起光が入射されるのを防止するため、蛍光の光路に励起光カットフィルタを設ける必要がある。そして、被検体に応じた波長の励起光を照射する場合には、各励起光の波長に応じた励起光カットフィルタが必要である。
【０００５】
特許文献１に記載の画像読取装置においては、異なる波長の蛍光を直交方向に分光するダイクロイックミラーを用い、そのダイクロイックミラーの蛍光の透過光路上および反射光路上にそれぞれ励起光カットフィルタおよび検出器を配置する構成が提案されている。
【先行技術文献】
【特許文献】
【０００６】
【特許文献１】特開２００１−２９６３９５号公報
【特許文献２】特開２０００−５６２２８号公報
【特許文献３】特開２００３−３０８５１５号公報
【発明の概要】
【発明が解決しようとする課題】
【０００７】
しかしながら、特許文献１に記載の画像読取装置のように、異なる波長の蛍光をダイクロイックミラーによって直交方向に分光し、各蛍光の光路上に励起光カットフィルタおよび検出器をそれぞれ設けるようにしたのでは、たとえば一方の蛍光の光路を鉛直方向に設定した場合、その直交する方向に検出器を設ける必要があるので、その分のスペースが必要となり、画像読取装置の小型化が難しいという問題がある。
【０００８】
また、特許文献２および特許文献３には、互いに異なる透過波長を有する複数のフィルタを配列したフィルタマガジンを一方向に複数列並べ、そのフィルタマガジンの配置を変更することによって蛍光の波長に応じたフィルタを蛍光の光路上に配置させる構成が提案されている。
【０００９】
しかしながら、互いに異なる波長を有する蛍光を検出する場合、各蛍光の波長に応じた検出器を用いることが望ましく、特許文献２および特許文献３には、このように異なる波長の蛍光を検出する検出器をそれぞれ設け、かつ装置全体の小型化を図れるような構成については何も提案されていない。
【００１０】
本発明は、上記の問題に鑑み、互いに異なる波長を有する光をその光の波長に応じた検出器でそれぞれ検出することができ、かつ装置全体の小型化を図ることができる光検出装置を提供することを目的とする。
【課題を解決するための手段】
【００１１】
本発明の光検出装置は、互いに光の透過波長が異なる複数のフィルタが一列に配列されたフィルタマガジンを複数備え、その複数のフィルタマガジンが、一方向に並べて配列され、複数のフィルタマガジンに含まれるフィルタのうちの少なくとも１つのフィルタを透過した光を検出する光検出器が、フィルタの配列方向に複数配列された光検出ユニットを備え、その光検出ユニットが、上記一方向に複数のフィルタマガジンに並列させて配置され、複数のフィルタマガジンおよび光検出ユニットが、フィルタの配列方向に移動可能に構成されている。
【００１２】
また、上記本発明の光検出装置において、複数のフィルタマガジンのうちの光検出ユニット側に配置されたフィルタマガジンの少なくとも一か所に外光を遮光する遮光筒を有することが好ましい。
【００１３】
また、上記本発明の光検出装置においては、フィルタマガジンに含まれるフィルタの種類の情報を取得し、その種類の情報に基づいて、フィルタマガジンのフィルタの配列方向の位置を制御する制御部を備えることができる。
【００１４】
また、上記本発明の光検出装置においては、フィルタの種類の情報の入力を受け付けるフィルタ情報受付部を備えることができる。
【００１５】
また、上記本発明の光検出装置においては、フィルタは、そのフィルタの種類の情報を保持するフィルタ情報保持部を有することができる。
【００１６】
また、上記本発明の光検出装置においては、複数のフィルタマガジンのうちの少なくとも１つを着脱可能に構成することができる。
【００１７】
また、上記本発明の光検出装置においては、フィルタマガジンに含まれる複数のフィルタのうちの少なくとも１つをフィルタマガジンに対して着脱可能に構成することができる。
【００１８】
また、上記本発明の光検出装置において、複数のフィルタマガジンおよび光検出ユニットは、鉛直方向に並べて配置することができる。
【００１９】
また、上記本発明の光検出装置においては、光検出ユニットを移動させるリニアモータを備えることができる。
【００２０】
また、上記本発明の光検出装置において、着脱可能に構成されたフィルタマガジンは、複数のフィルタが並べて配置されるフィルタトレイと、光検出装置本体に対して係合することによってフィルタトレイの移動を規制するロックレバーとを有し、ロックレバーは、フィルタトレイのフィルタの配列方向の端部に回動可能に設け、ロックレバーの回動軸をフィルタトレイに固定する固定部は、フィルタトレイの端部の内側の面に設けることができる。
【００２１】
また、上記本発明の光検出装置において、フィルタマガジンは、光検出装置本体に対して、フィルタの配列方向に直交する方向に挿入されて装着され、ロックレバーは、フィルタの配列方向に直交する方向に延びる部材から構成され、かつそのロックレバーの光検出装置への挿入方向の先端部は、挿入方向に対して内側に折り曲げることが好ましい。
【発明の効果】
【００２２】
本発明の光検出装置によれば、互いに光の透過波長が異なる複数のフィルタが一列に配列されたフィルタマガジンと、そのフィルタマガジンのフィルタの配列方向と同じ方向に光検出器を複数配列した光検出ユニットを備え、複数のフィルタマガジンと光検出ユニットを一方向に並列して配置する。そして、複数のフィルタマガジンおよび光検出ユニットをフィルタの配列方向に移動可能に構成するようにしたので、互いに異なる波長を有する蛍光をその蛍光の波長に応じた検出器でそれぞれ検出することができ、かつ装置全体の小型化を図ることができる。
【図面の簡単な説明】
【００２３】
【図１】本発明の光検出装置の一実施形態を用いた画像読取システムの概略構成を示すブロック図
【図２】画像読取装置の概略構成を示す図
【図３】検出部の機械的な構成を示す図
【図４】検出部の機械的な構成を示す図
【図５】第１のフィルタマガジンの機械的な構成を示す図
【図６】フィルタトレイおよびロックレバーの構成を示す図
【図７】ロックレバーの回動を説明するための図
【図８】ロックレバーに設けられたガイド部の作用を説明するための図
【図９】ロックレバーの固定部の構成を示す図
【図１０】第１および第２のフィルタマガジンおよび光検出ユニットの初期位置を示す図
【図１１】第１の蛍光画像読取モードが設定された場合の第１および第２のフィルタマガジンと光検出ユニットとの相対的な位置関係を示す図
【図１２】第２の蛍光画像読取モードが設定された場合の第１および第２のフィルタマガジンと光検出ユニットとの相対的な位置関係を示す図
【図１３】第３の蛍光画像読取モードが設定された場合の第１および第２のフィルタマガジンと光検出ユニットとの相対的な位置関係を示す図
【図１４】第４の蛍光画像読取モードが設定された場合の第１および第２のフィルタマガジンと光検出ユニットとの相対的な位置関係を示す図
【図１５】第５の蛍光画像読取モードが設定された場合の第１および第２のフィルタマガジンと光検出ユニットとの相対的な位置関係を示す図
【図１６】第６の蛍光画像読取モードが設定された場合の第１および第２のフィルタマガジンと光検出ユニットとの相対的な位置関係を示す図
【図１７】第１の濃度計測モードが設定された場合の第１および第２のフィルタマガジンと光検出ユニットとの相対的な位置関係を示す図
【図１８】第２の濃度計測モードが設定された場合の第１および第２のフィルタマガジンと光検出ユニットとの相対的な位置関係を示す図
【図１９】本発明の光検出装置の一実施形態を用いた画像読取システムの作用を説明するためのフローチャート
【発明を実施するための形態】
【００２４】
以下、本発明の光検出装置の一実施形態を用いた画像読取システムについて、図面を参照しながら詳細に説明する。図１は、本実施形態の画像読取システム１の概略構成を示すブロック図である。本実施形態の画像読取システム１は、読取対象に対して絞り込んだレーザ光を２次元状に走査（スキャン）し、そのレーザ光の照射点毎に読取対象から発せられた蛍光を適切な分光フィルタで分離した後、フォトマルチプライアなどの光検出器に集光して２次元画像を生成するものである。
【００２５】
本実施形態の画像読取システム１は、図１に示すように、画像読取制御装置１０と、画像読取装置２０と、表示装置３０と、入力装置４０とを備えている。
【００２６】
画像読取制御装置１０は、ＣＰＵ（Central Processing Unit）、メモリおよびハードディスクなどを備えたコンピュータからなるものであり、これらによって図１に示す制御部１１、画像生成部１２および濃度計測部１３が構成されている。これらの各部については、後で詳述する。
【００２７】
画像読取制御装置１０には、画像読取装置２０、表示装置３０および入力装置４０が接続されている。表示装置３０は、液晶ディスプレイなどの表示デバイスから構成されるものである。入力装置４０は、キーボードやマウスなどの入力デバイスから構成されるものである。表示装置３０および入力装置４０は、タッチパネルを用いることによって兼用するようにしてもよい。
【００２８】
図２は、画像読取装置２０の概略構成を示す図である。画像読取装置２０は、図２に示すように、被検体支持部２１、光源部５０、検出部７０、光学系６７、および回路部９０を備えている。なお、本実施形態においては、画像読取制御装置１０における制御部１１と画像読取装置２０の検出部７０とから本発明の光検出装置が構成されている。
【００２９】
被検体支持部２１は、被検体に相当するサンプル２２が設置され、これを支持するものである。被検体支持部２１は、板状部材から構成されるものであり、光源部５０から発せられる励起光Ｅおよびサンプル２２から発せられる蛍光Ｌの波長に対して透明な材料から形成されるものである。具体的には、たとえば透明な樹脂またはガラスなどから構成されるものである。
【００３０】
サンプル２２としては、たとえば蛍光標識されたタンパク質、ペプチドおよび核酸などを含むゲル支持体、並びに放射性物質で標識された生体由来物質を密着させた後にそれを取り除いた蓄積性蛍光体シートなどがある。本実施形態の画像読取装置２０は、蛍光標識であるＩＲＤｙｅ６８０（登録商標）、ＩＲＤｙｅ８００（登録商標）、Ｃｙ２、Ｃｙ３およびＣｙ５をそれぞれ用いたゲル支持体、および蓄積性蛍光体シートをサンプル２２として読取可能に構成されるが、後で詳述するように、第１および第２のフィルタマガジン７１、７２を構成するフィルタを交換することによって、その他の蛍光画像も読取可能である。
【００３１】
光源部５０は、中心波長が４８８ｎｍの励起光Ｅを発する第１の励起光源５１と、中心波長が５３２ｎｍの励起光Ｅを発する第２の励起光源５２と、中心波長が６３５ｎｍの励起光Ｅを発する第３の励起光源５３と、中心波長が６８５ｎｍの励起光Ｅを発する第４の励起光源５４と、中心波長が７８５ｎｍの励起光Ｅを発する第５の励起光源５５とを備えている。本実施形態においては、第１の励起光源５１〜第５の励起光源５５は、半導体レーザ光源および第二高調波生成素子（Second Harmonic Generation）、または半導体レーザ光源から構成されている。なお、第１〜第５の励起光源５１〜５５から発せられる励起光の中心波長は、必ずしも上記の値でなくてもよく、上記中心波長の値から±１５ｎｍの範囲でもよい。
【００３２】
また、光源部５０は、第１〜第５の励起光源５１〜５５から発せられた励起光Ｅを平行な光とするためのコリメータレンズ５６，５７，５８，５９，６０と、励起光Ｅを光学系６７へ導くためのミラー６１，６６および第１〜第４のダイクロイックミラー６２，６３，６４，６５を備えている。
【００３３】
第１のダイクロイックミラー６２は、７８５ｎｍ以上の励起光Ｅを透過し、６８５ｎｍの波長の光を反射するものである。また、第２のダイクロイックミラー６３は、６８５ｎｍ以上の波長の光を透過し、６３５ｎｍの波長の光を反射するものである。また、第３のダイクロイックミラー６４は、６３５ｎｍ以上の波長の光を透過し、５３２ｎｍの波長の光を反射するものである。また、第４のダイクロイックミラー６５は、５３２ｎｍ以上の波長の光を透過し、４８８ｎｍの波長の光を反射するものである。
【００３４】
第１の励起光源５１から発せられた励起光Ｅは、コリメータレンズ５６によって、平行な光とされた後、第４のダイクロイックミラー６５によって反射されて、その向きが９０度変えられ、ミラー６６に入射する。
【００３５】
また、第２の励起光源５２から発せられた励起光Ｅは、コリメータレンズ５７によって、平行な光とされた後、第３のダイクロイックミラー６４によって反射されて、その向きが９０度変えられ、第４のダイクロイックミラー６５を透過して、ミラー６６に入射する。
【００３６】
第３の励起光源５３から発せられた励起光Ｅは、コリメータレンズ５８によって、平行な光とされた後、第２のダイクロイックミラー６３によって反射されて、その向きが９０度変えられ、第３のダイクロイックミラー６４および第４のダイクロイックミラー６５を透過し、ミラー６６に入射する。
【００３７】
第４の励起光源５４から発せられた励起光Ｅは、コリメータレンズ５９によって、平行な光とされた後、第１のダイクロイックミラー６２によって反射されて、その向きが９０度変えられ、第２〜第４のダイクロイックミラー６３〜６５を透過し、ミラー６６に入射する。
【００３８】
第５の励起光源５５から発せられた励起光Ｅは、コリメータレンズ６０によって、平行な光とされた後、ミラー６１によって反射されて、その向きが９０度変えられ、第１〜第４のダイクロイックミラー６２〜６５を透過し、ミラー６６に入射する。
【００３９】
第１〜第５の励起光源５１〜５５は、蛍光標識されたゲル支持体の蛍光画像の読取りと、蓄積性蛍光体シートの蛍光画像の読取りとでそれぞれ切り換えられて用いられる。具体的には、Ｃｙ２を用いたゲル支持体の蛍光画像を読み取る際には、Ｃｙ２の励起波長は４８９ｎｍであるので、第１の励起光源５１が用いられる。また、Ｃｙ３を用いたゲル支持体の蛍光画像を読み取る際には、Ｃｙ３の励起波長は５５０ｎｍであるので、第２の励起光源５２が用いられる。また、Ｃｙ５を用いたゲル支持体の蛍光画像を読み取る際には、Ｃｙ５の励起波長は６４３ｎｍであるので、第３の励起光源５３が用いられる。また、ＩＲＤｙｅ６８０を用いたゲル支持体の蛍光画像を読み取る際には、ＩＲＤｙｅ６８０の励起波長は６７２ｎｍであるので、第４の励起光源５４が用いられる。また、ＩＲＤｙｅ８００を用いたゲル支持体の蛍光画像を読み取る際には、ＩＲＤｙｅ８００の励起波長は７７４ｎｍであるので、第５の励起光源５５が用いられる。また、蓄積性蛍光体シートの蛍光画像を読み取る際には、励起波長が６４０ｎｍであるので、第３の励起光源５３が用いられる。
【００４０】
ミラー６６に入射した励起光Ｅは、ミラー６６によって反射され、光学系６７のミラー２６に入射する。
【００４１】
光学系６７は、上述したミラー２６、穴開きミラー２５、および凹面ミラー２４を備えている。穴開きミラー２５は、励起光Ｅと蛍光板２９から発せられた蛍光Ｌとを分岐させるものであり、中央部に穴２５ａを有する凹面ミラーからなるものである。
【００４２】
光源部５０のミラー６６で反射されて、光学系６７のミラー２６に入射された励起光Ｅは、光学系６７のミラー２６によって反射され、穴開きミラー２５の穴２５ａを通過して、凹面ミラー２４に入射し、凹面ミラー２４によって反射されて、光学ヘッド２３に入射する。
【００４３】
光学ヘッド２３は、不図示の凹面ミラーと非球面レンズを備えている。そして、光学ヘッド２３に入射した励起光Ｅは、凹面ミラーによって被検体支持部２１およびサンプル２２に向けて反射され、非球面レンズによって被検体支持部２１上に設置されたサンプル２２に集光される。
【００４４】
光学ヘッド２３は、光学ヘッド支持基板４１に対して、光学ヘッド支持基板４１の長さ方向（Ｘ方向）に移動可能に取り付けられている。また、光学ヘッド支持基板４１は、図示省略した移動機構によって、その長さ方向に直交する方向（Ｙ方向）に移動可能に設けられている。
【００４５】
光学ヘッド支持基板４１がＹ方向に移動し、かつ光学ヘッド支持基板４１のＹ方向の各位置において、光学ヘッド２３がＸ方向に移動することによって、サンプル２２の全面が励起光Ｅによって走査される。
【００４６】
サンプル２２上における励起光照射位置から発せられた蛍光Ｌは、被検体支持部２１を通過し、光学ヘッド２３に入射される。
【００４７】
光学ヘッド２３に入射された蛍光Ｌは、光学ヘッド２３内の非球面レンズによって集光されて、光学ヘッド２３内の凹面ミラーに入射され、凹面ミラーによって励起光Ｅの光路と同じ側に反射され、平行光とされて光学系６７の凹面ミラー２４に入射される。
【００４８】
凹面ミラー２４に入射した蛍光は、凹面ミラー２４によって反射されて、穴開きミラー２５に入射する。穴開きミラー２５に入射した蛍光Ｌは、穴開きミラー２５によって、検出部７０に向かって反射される。
【００４９】
検出部７０は、第１のフィルタマガジン７１と、第２のフィルタマガジン７２と、光検出ユニット７３とを備えている。穴開きミラー２５によって反射された蛍光Ｌは、第１のフィルタマガジン７１および/または第２のフィルタマガジン７２に入射し、不要な波長の光がカットされて、光検出ユニット７３に入射されて光電的に検出される。
【００５０】
第１のフィルタマガジン７１は、第１のフィルタ７１ａ、第２のフィルタ７１ｂ、第３のフィルタ７１ｃ、第４のフィルタ７１ｄおよび第５のフィルタ７１ｅを備えている。図２に示すように、第１〜第５のフィルタ７１ａ〜７１ｅは一列に配置されている。
【００５１】
第２のフィルタマガジン７２は、遮光筒７２ａ、第６のフィルタ７２ｂ、第７のフィルタ７２ｃ、第８のフィルタ７２ｄおよび第９のフィルタ７２ｅを備えている。遮光筒７２ａおよび第６〜第９のフィルタ７２ｂ〜７２ｅも、第１のフィルタマガジン７１の第１〜第５のフィルタ７１ａ〜７１ｅの配列方向と同じ方向に一列に配置されている。
【００５２】
第１のフィルタマガジン７１と第２のフィルタマガジン７２とは、一方向（蛍光Ｌの入射方向）に並べて配列されている。第１のフィルタマガジン７１のいずれかのフィルタを通過した蛍光Ｌが、第２のフィルタマガジン７２の遮光筒７２ａまたはいずれかのフィルタを通過可能に構成されている。そして、第１および第２のフィルタマガジン７１、７２は、それぞれ独立して図２の矢印Ａ方向に移動可能に構成されている。
【００５３】
光検出ユニット７３は、第１のフォトマルチプライア７３ａと第２のフォトマルチプライア７３ｂの２つの光検出器を備えている。第１のフォトマルチプライア７３ａと第２のフォトマルチプライア７３ｂは、それぞれ感度波長帯域が異なるものであり、第１のフォトマルチプライア７３ａは、相対的に短い波長帯域に感度を有するものであり、第２のフォトマルチプライア７３ｂは、相対的に長い波長帯域に感度を有するものである。具体的には、本実施形態の第１のフォトマルチプライア７３ａは、青色の蛍光Ｌに対する感度が高く、第２のフォトマルチプライア７３ｂは、赤色の蛍光Ｌに対する感度が高いものである。なお、本実施形態においては、光検出ユニット７３を２つのフォトマルチプライアから構成するようにしたが、３つ以上のフォトマルチプライアから構成するようにしてもよい。
【００５４】
第１のフォトマルチプライア７３ａと第２のフォトマルチプライア７３ｂとは、第１および第２のフィルタマガジン７１，７２のフィルタの配列方向と同じ方向に配列されている。そして、光検出ユニット７３は、第１および第２のフィルタマガジン７１，７２の配列方向（上述した一方向）と同じ方向に、第１および第２のフィルタマガジン７１，７２に並列させて配置されている。
【００５５】
すなわち、第１のフィルタマガジン７１、第２のフィルタマガジン７２および光検出ユニット７３は、一方向（蛍光Ｌの入射方向）に並列に配置されており、第１のフィルタマガジン７１および第２のフィルタマガジン７２を構成するフィルタのうちの少なくとも１つのフィルタを通過した蛍光Ｌが、光検出ユニット７３を構成する第１のフォトマルチプライア７３ａまたは第２のフォトマルチプライア７３ｂに入射されるように構成されている。そして、光検出ユニット７３は、第１および第２のフィルタマガジン７１、７２とは独立して図２の矢印Ａ方向に移動可能に構成されている。
【００５６】
第１〜第５のフィルタ７１ａ〜７１ｅおよび第６〜第９のフィルタ７２ｂ〜７２ｅは、励起光Ｅをカットし、蛍光Ｌを通過させる光学フィルタを備えたものであり、読取モードに応じて選択的に第１のフォトマルチプライア７３ａまたは第２のフォトマルチプライア７３ｂの前面に配置され、第１または第２のフォトマルチプライア７３ａ，７３ｂによって、検出すべき蛍光Ｌのみが光電的に検出される。
【００５７】
ここで、第２のフィルタマガジン７２における遮光筒７２ａは、第６〜第９のフィルタ７２ｂ〜７２ｅのように励起光Ｅをカットし、蛍光Ｌを通過させる光学フィルタを備えたものではなく、光学フィルタの代わりに外光を遮光する中空の筒形状の部材を備え、単に第１のフィルタマガジン７１のいずれかのフィルタを通過した蛍光Ｌを通過させる構成としている。
【００５８】
本実施形態においては、第１のフィルタマガジン７１、第２のフィルタマガジンおよび光検出ユニット７３が、上述したように一方向（蛍光Ｌの入射方向）に並列に配置されているため、たとえば第１のフィルタマガジン７１のいずれかのフィルタのみを用いて蛍光Ｌの検出を行う場合には、そのフィルタと光検出ユニット７３との間に間隔が空くことになる。したがって、この間隔において外光が周り込んで光検出ユニット７３に入射する可能性があり、ノイズとなる。
【００５９】
そこで、本実施形態においては、第２のフィルタマガジン７２内に遮光筒７２ａを配置し、第１のフィルタマガジン７１のいずれかのフィルタのみを用いて蛍光Ｌの検出を行う場合には、そのフィルタの蛍光Ｌの出射口に遮光筒７２ａが配置されるようにする。このように構成することによって、上述したような周り込んだ外光が光検出ユニット７３に入射するのを防止することができる。
【００６０】
なお、本実施形態においては、第６〜９のフィルタ７２ｂ〜７２ｅは、外光を遮光する材料からなる筒状の部材に光学フィルタを設けたものであり、遮光筒７２ａとしては、第６〜９のフィルタ７２ｂ〜７２ｅから光学フィルタを取り除いたものと同じものを用いる。
【００６１】
また、上述した読取モードは、読取対象の種類などに応じて予め設定されるものであり、各読取モードと、各読取モードにおいて使用されるフィルタおよび遮光筒７２ａ並びにフォトマルチプライアの組み合わせについては、後で詳述する。
【００６２】
回路部９０は、Ａ/Ｄ変換器９１と、記憶部９２とを備えている。Ａ/Ｄ変換器９１は、第１または第２のフォトマルチプライア７３ａ，７３ｂから出力されたアナログ画像信号をデジタル画像信号に変換するものである。そして、記憶部９３は、半導体メモリなどから構成されるものであり、Ａ/Ｄ変換器９１から出力されたデジタル画像信号を記憶するものである。記憶部９３に記憶されたデジタル画像信号は、画像読取制御装置１０に出力される。
【００６３】
ここで、検出部７０の機械的な構成について、図３〜図９を参照しながらより詳細に説明する。図３は、検出部７０全体の概略構成を示す斜視図である。なお、図３のＺ方向は鉛直方向であり、Ｘ方向およびＹ方向は水平方向において互いに直交する方向である。また、図３に示すＸ方向は、図２に示す矢印Ａ方向と同じ方向である。なお、図３に示すＸ方向およびＹ方向は、図２に示すＸ方向およびＹ方向と同じ方向であってもよいし、異なる方向であってもよい。また、以下、鉛直方向（Ｚ方向）上方を「上」、鉛直方向（Ｚ方向）下方を「下」、Ｘ方向の正方向（矢印の方向）を「右」、Ｘ方向の負方向を「左」、Ｙ方向の正方向（矢印の方向）を「前」、およびＹ方向の負方向を「後ろ」として説明する。
【００６４】
図３に示すように、検出部７０は、第１のフィルタマガジン７１、第２のフィルタマガジン７２および光検出ユニット７３が設置される筐体２００を備えている。第１のフィルタマガジン７１、第２のフィルタマガジン７２および光検出ユニット７３は、筐体２００内において上下方向に並列に設置されている。
【００６５】
筐体２００の上段には、Ｘ方向に延びる第１の軸７５が設けられており、この第１の軸７５に対して第１の固定台７４が設けられている。第１の固定台７４は、第１の軸７５に沿って摺動可能に設置されており、この第１の固定台７４内に第１のフィルタマガジン７１が着脱可能に設置される。
【００６６】
第１の固定台７４は、第１の接続部材７４ａを介して第１の搬送ベルト機構８２に接続されている。第１の搬送ベルト機構８２は、Ｘ方向に延設された搬送ベルトとその搬送ベルトの両端に設けられた２つのプーリとから構成されており、駆動側のプーリには、駆動モータ８１が接続されている。そして、この駆動モータ８１によって第１の搬送ベルト機構８２が駆動し、これにより第１の固定台７４がＸ方向に移動する。駆動モータ８１は、画像読取制御装置１０の制御部１１から出力された制御信号に基づいて回転する。
【００６７】
また、筐体２００の下段には、Ｘ方向に延びる第２の軸７７が設けられており、この第２の軸７７に対して第２の固定台７６が設けられている。第２の固定台７６は、第２の軸７７に沿って摺動可能に設置されており、この第２の固定台７６内に第２のフィルタマガジン７２が固定して設置されている。ただし、第２のフィルタマガジン７２のトレイ内の遮光筒７２ａおよび第６〜第９のフィルタ７２ｂ〜７２ｅについては、それぞれ個別に着脱可能に構成されている。
【００６８】
第２の固定台７６は、第２の接続部材７６ａを介して第２の搬送ベルト機構８４に接続されている。第２の搬送ベルト機構８４は、Ｘ方向に延設された搬送ベルトとその搬送ベルトの両端に設けられた２つのプーリとから構成されており、駆動側のプーリには、駆動モータ８３が接続されている。そして、この駆動モータ８３によって第２の搬送ベルト機構８４が駆動し、これにより第２の固定台７６がＸ方向に移動する。駆動モータ８３は、画像読取制御装置１０の制御部１１から出力された制御信号に基づいて回転する。
【００６９】
次に、図４は、図３に示した第１のフィルタマガジン７１および第２のフィルタマガジン７２を含む上側部分を取り除いた状態を示す斜視図である。図４に示すように、第２のフィルタマガジン７２の下方には、第１のフォトマルチプライア７３ａと第２のフォトマルチプライア７３ｂとを有する光検出ユニット７３が配置されている。光検出ユニット７３には、リニアモータ８５が接続されており、このリニアモータ８５によって、光検出ユニット７３がＸ方向に移動する。リニアモータ８５は、画像読取制御装置１０の制御部１１から出力された制御信号に基づいて駆動する。このようにリニアモータ８５を用いることによって、搬送ベルト機構を用いた場合と比較すると、Ｙ方向の幅を狭くすることができ、これにより検出部７０を小型化することができる。
【００７０】
図５は、第１のフィルタマガジン７１のより詳細な構成を示す図である。第１のフィルタマガジン７１は、第１〜第５のフィルタ７１ａ〜７１ｅが並べて配置されるフィルタトレイ１００を備えている。フィルタトレイ１００は、側壁部を有する皿状に形成されたものである。フィルタトレイ１００の長さ方向（フィルタの配列方向）に延びる一端部には、
ユーザが第１のフィルタマガジン７１を掴みやすいように把手部１００ａが形成されている。第１のフィルタマガジン７１は、把手部１００ａが形成された側とは反対側から第１の固定台７４に挿入される。
【００７１】
また、フィルタトレイ１００における第１〜第５のフィルタ７１ａ〜７１ｅの配列方向の両端部には、ロックレバー１０１が設けられている。ロックレバー１０１は、第１〜第５のフィルタ７１ａ〜７１ｅの配列方向に直交する方向に延びる部材から構成されている。
【００７２】
図６は、図５に示す第１のフィルタマガジン７１から第１〜第５のフィルタ７１ａ〜７１ｅを取り除いた状態を示す図である。図６に示すように、フィルタトレイ１００の底面には、第１〜第５のフィルタ７１ａ〜７１ｅを透過した蛍光Ｌを通過させる孔１００ｅが形成されている。そして、図５および図６に示すように、ロックレバー１０１は、フィルタトレイ１００の両側端部の外側の面に設けられている。そして、２つのロックレバー１０１は、連結部材１０１ａによって接続されることによって一体的に構成されている。そして、連結部材１０１ａには、さらに係合部材１０１ｄが一体的に接続されている。すなわち、フィルタトレイ１００の両側端部の外側の面に設けられた２つのロックレバー１０１と連結部材１０１ａと係合部材１０１ｄは、全て一体的に構成されている。
【００７３】
そして、ロックレバー１０１の一端部（連結部材１０１ａと接続される側とは反対側の端部）は、フィルタトレイ１００に対して回動可能に設けられている。これにより、ロックレバー１０１は、回動軸１０１ｂを中心として回動し、この回動にともなって連結部材１０１ａおよび係合部材１０１ｄもロックレバー１０１と一緒に回動する。図７は、図６を矢印Ｂ方向から見た図であり、ロックレバー１０１の回動を示す図である。
【００７４】
ロックレバー１０１、連結部材１０１ａおよび係合部材１０１ｄは、図示省略したバネなどの弾性部材によって上方に付勢されている。そして、ユーザが、第１〜第５のフィルタ７１ａ〜７１ｅが設置されたフィルタトレイ１００を図３に示す検出部７０本体（光検出装置本体）に取り付ける場合には、連結部材１０１ａがユーザによって押し下げられた状態で第１の固定台７４に挿入される。そして、フィルタトレイ１００が第１の固定台７４に挿入された後は、上述した弾性部材による付勢によって係合部材１０１ｄが上方に移動し、係合部材１０１ｄが、検出部７０本体の図示省略した溝部に係合する。この係合部材１０１ｄの溝部への係合によって、フィルタトレイ１００の挿入方向に対する移動が規制される。一方、フィルタトレイ１００を検出部７０本体から取り外す場合には、連結部材１０１ａがユーザによって押し下げられる。
【００７５】
また、ロックレバー１０１の検出部７０本体への挿入方向の先端部には、図５および図６に示すようにガイド部１０１ｃが形成されている。ガイド部１０１ｃは、ロックレバー１０１の先端部を、フィルタトレイ１００の挿入方向に対して内側に折り曲げて形成されている。図８は、フィルタトレイ１００を第１の固定台７４内に挿入する様子を上方から見た図である。図８に示すように、ガイド部１０１ｃを形成することによって、ロックレバー１０１の挿入方向の先端が第１の固定台７４の側壁部に衝突した場合でも、ガイド部１０１ｃの傾斜によってフィルタトレイ１００の側壁部の内側にスムーズに案内することができる。なお、図８に示すように、第１の固定台７４の底面には、第１〜第５のフィルタ７１ａ〜７１ｅを透過した蛍光Ｌを通過させる孔７４ｂが形成されている。
【００７６】
また、ロックレバー１０１の挿入方向の先端と第１の固定台７４の側壁部との衝突を回避する方法としては、図８に点線で示すように、第１の固定台７４の側壁部の挿入口の部分を外側に広げることも考えられるが、すなわち第１の固定台７４側にガイド部を形成することも考えられるが、本実施形態のように、フィルタトレイ１００側にガイド部１０１ｃを形成した方が、図８に示す距離ｄ×２の分だけ省スペース化を図ることができる。
【００７７】
また、ロックレバー１０１の回動軸をフィルタトレイ１００に設ける場合には、図９に示すように、回動軸１０２ｂをフィルタトレイ１００に固定する固定部１０１ｅを、フィルタトレイ１００の端部の内側の面に設けることが望ましい。このように構成することによって、回動軸１０２ｂの固定部をフィルタトレイ１００の外側の面に設ける場合と比較すると、フィルタトレイ１００の横方向（挿入方向に直交する方向）について省スペース化を図ることができる。
【００７８】
なお、本実施形態においては、第１のフィルタマガジン７１のみを上述したような構成として着脱可能としたが、第２のフィルタマガジン７２についても同様の構成を採用して着脱可能な構成としてもよい。
【００７９】
以上が、検出部７０の機械的な構成の説明である。
【００８０】
図１に戻り、画像読取制御装置１０は、上述したとおり制御部１１、画像生成部１２および濃度計測部１３を備えている。
【００８１】
制御部１１は、画像読取システム１全体を制御するものであるが、特に、第１のフィルタマガジン７１、第２のフィルタマガジン７２および光検出ユニット７３の移動を制御するものである。
【００８２】
ここで、本実施形態における第１のフィルタマガジン７１、第２のフィルタマガジン７２および光検出ユニット７３の移動制御に詳細に説明する。本実施形態においては、上述したように読取モードに応じて使用するフィルタおよびフォトマルチプライアの組み合わせを決定し、その組み合わせに応じて第１のフィルタマガジン７１、第２のフィルタマガジン７２および光検出ユニット７３を移動させるが、その移動制御の前提として、第１のフィルタマガジン７１における第１〜第５のフィルタ７１ａ〜７１ｅの種類と、第２のフィルタマガジン７２における遮光筒７２ａおよび第６〜第９のフィルタ７２ｂ〜７２ｅの種類と、第１および第２のフォトマルチプライア７３ａ，７３ｂの種類が予め分かっている必要がある。
【００８３】
具体的には、第１のフィルタマガジン７１内の第１〜第５のフィルタ７１ａ〜７１ｅおよび第２のフィルタマガジン７２内の遮光筒７２ａおよび第６〜第９のフィルタ７２ｂ〜７２ｅは着脱可能なものであり、ユーザによって必要に応じて交換されるものである。
【００８４】
したがって、読取モードに応じて第１のフィルタマガジン７１または第２のフィルタマガジン７２のいずれかのフィルタを選択し、そのフィルタが選択されたフォトマルチプライアの前面に位置するようにするには、第１〜第５のフィルタ７１ａ〜７１ｅおよび遮光筒７２ａ並びに第６〜第９のフィルタ７２ｂ〜７２ｅの種類の情報が必要である。
【００８５】
これらの情報については、ユーザが入力装置４０を用いて設定入力するようにしてもよいし、第１〜第５のフィルタ７１ａ〜７１ｅおよび遮光筒７２ａ並びに第６〜第９のフィルタ７２ｂ〜７２ｅに対してその種類の情報を保持するフィルタ情報保持部を設け、そのフィルタ情報保持部からフィルタの種類の情報を読み出し、フィルタの種類の情報とそのフィルタの位置の情報とを制御部１１が取得するようにしてもよい。なお、本実施形態においては、入力装置４０がフィルタ情報受付部に相当するものである。
【００８６】
本実施形態においては、フィルタ情報保持部として、図５に示すような、金属片パターン７９を設ける。金属片パターン７９は、フィルタ毎に設けられるものであり、その形状がフィルタの種類によって異なるものである。具体的には、本実施形態の金属片パターン７９は、その長さとフィルタに対して設けられた位置によってフィルタの種類の情報を表すものである。金属片パターン７９の長さは４種類あるものとし、そのフィルタに対する配置との組み合わせで１６種類のフィルタの情報を表すことができる。
【００８７】
図５に示す金属片パターン７９は、図３に示す筐体２００の内壁面に設けられた第１の光学センサ８０を通過することによってその情報が読み取られ、画像読取制御装置１０の制御部１１に出力される。なお、金属片パターン７９は、第１のフィルタマガジン７１の第１〜第５のフィルタ７１ａ〜７１ｅだけでなく、第２のフィルタマガジン７２の遮光筒７２ａおよび第６〜第９のフィルタ７２ｂ〜７２ｅにも設けられおり、その情報は、図４に示す第２の光学センサ８６によって読み取られる。
【００８８】
また、本実施形態においては、金属から形成される金属片パターン７９を設けるようにしたが、このパターンの材料としては金属に限らず、光を遮る性質を有する材料であれば如何なる材料でもよく、たとえば黒色の樹脂を用いてパターンを形成するようにしてもよい。
【００８９】
また、フィルタ情報保持部としては、上述したような金属片パターン７９に限らず、たとえばフィルタの種類が記録されたバーコードやＩＣ（Integrate Circuit）チップを各フィルタ７１ａ〜７１ｅ，７２ｂ〜７２ｅおよび遮光筒７２ａに設け、その情報を読み出すようにしてもよい。
【００９０】
なお、光検出ユニット７３については固定して設けられおり、基本的には、光検出ユニット７３を構成する第１および第２のフォトマルチプライア７３ａ，７３ｂの種類は固定であるため、これらの情報については制御部１１に予め設定されている。
【００９１】
そして、ユーザによって入力装置４０を用いて読取モードが設定入力されると、その読取モードの情報が制御部１１によって取得される。制御部１１は、読取モードに応じたフィルタおよびフォトマルチプライアの組み合わせを決定し、その組み合わせを用いて蛍光Ｌが検出されるように第１および第２のフィルタマガジン７１，７２および光検出ユニット７３の位置を制御する。
【００９２】
本実施形態の画像読取システムは、蓄積性蛍光体シートから発せられた蛍光Ｌを検出して蛍光画像を読み取る第１の蛍光画像読取モードと、蛍光標識であるＣｙ２から発せられた蛍光Ｌを検出して蛍光画像を読み取る第２の蛍光画像読取モードと、蛍光標識であるＣｙ３から発せられた蛍光Ｌを検出して蛍光画像を読み取る第３の蛍光画像読取モードと、蛍光標識であるＣｙ５から発せられた蛍光Ｌを検出して蛍光画像を読み取る第４の蛍光画像読取モードとを設定可能に構成されている。
【００９３】
さらに、蛍光標識であるＩＲＤｙｅ６８０から発せられた蛍光Ｌを検出して蛍光画像を読み取る第５の蛍光画像読取モードと、蛍光標識であるＩＲＤｙｅ８００から発せられた蛍光Ｌを検出して蛍光画像を読み取る第６の蛍光画像読取モードと、サンプル２２上に設置された蛍光板から発せられ、後述するＣｙ３の蛍光検出用のフィルタを透過した蛍光Ｌを検出して濃度値を計測する第１の濃度計測モードと、サンプル２２上に設置された蛍光板から発せられ、後述するＣｙ２の蛍光検出用のフィルタを透過した蛍光Ｌを検出して濃度値を計測する第２の濃度計測モードを設定可能に構成されている。すなわち、６つの蛍光画像読取モードおよび２つの濃度計測モードを設定可能に構成されている。
【００９４】
図１０は、第１のフィルタマガジン７１の第１〜第５のフィルタ７１ａ〜７１ｅの種類および第２のフィルタマガジン７２の第６〜第９のフィルタ７２ｂ〜７２ｅの種類の一例と、読取モードが設定される前の第１および第２のフィルタマガジン７１，７２と光検出ユニット７３との矢印Ａ方向についての相対的な位置関係を示すものである。なお、図１０に示す矢印Ａ方向が、図３におけるＸ方向に対応する。
【００９５】
また、図１０〜図１８においては、ＮＤ（Neutral Density）フィルタを「ＮＤ」と示し、ＩＲＤｙｅ６８０の蛍光検出用のフィルタを「ＩＲＤｙｅ６８０」と示し、ＩＲＤｙｅ８００の蛍光検出用のフィルタを「ＩＲＤｙｅ８００」と示し、ＩＲＤｙｅ６８０の蛍光検出用のフィルタを「ＩＲＤｙｅ６８０」と示し、蓄積性蛍光体シート（ＩＰ（imaging plate））の蛍光検出用のフィルタを「ＩＰ」と示し、Ｃｙ２の蛍光検出用のフィルタを「Ｃｙ２」と示し、Ｃｙ３の蛍光検出用のフィルタを「Ｃｙ３」と示し、Ｃｙ５の蛍光検出用のフィルタを「Ｃｙ５」と示している。
【００９６】
本実施形態においては、上段の第１のフィルタマガジン７１については、第１のフィルタ７１ａとしてＮＤフィルタが配置されており、第２のフィルタ７１ｂとしてＩＲＤｙｅ６８０から発せられた蛍光Ｌを選択的に透過し、励起光Ｅをカットするフィルタが配置されており、第３のフィルタ７１ｃとしてＩＲＤｙｅ８００から発せられた蛍光Ｌを選択的に透過し、励起光Ｅをカットするフィルタが配置されている。また、第４および第５のフィルタ７１ｄ，７１ｅとしては、上述した撮影モードでは使用されないが任意にユーザによって選択されたフィルタＡおよびフィルタＢが配置されている。
【００９７】
下段の第２のフィルタマガジン７２については、第６のフィルタ７２ｂとして蓄積性蛍光体シートから発せられた蛍光Ｌを選択的に透過し、励起光Ｅをカットするフィルタが配置されており、第７のフィルタ７２ｃとしてＣｙ２から発せられた蛍光Ｌを選択的に透過し、励起光Ｅをカットするフィルタが配置されている。また、第８のフィルタ７２ｄとしてＣｙ３から発せられた蛍光Ｌを選択的に透過し、励起光Ｅをカットするフィルタが配置され、第９のフィルタ７２ｅとしてＣｙ５から発せられた蛍光Ｌを選択的に透過し、励起光Ｅをカットするフィルタが配置されている。
【００９８】
なお、第１および第２の濃度計測モードにおいては、上述したように蛍光板から発せられた蛍光Ｌを検出し、Ｃｙ３およびＣｙ２から発せられた蛍光Ｌを検出する訳ではないが、第１の濃度計測モードにおいては、Ｃｙ３を励起する際に用いられる励起光Ｅの波長（５３２ｎｍ）と同様の波長の励起光Ｅがサンプル２２および蛍光板に照射されるので、Ｃｙ３の蛍光検出用のフィルタ（第８のフィルタ７２ｄ）が用いられる。また、第２の濃度計測モードにおいては、Ｃｙ２を励起する際に用いられる励起光Ｅの波長（４８８ｎｍ）と同様の波長の励起光Ｅがサンプル２２および蛍光板に照射されるので、Ｃｙ２の蛍光検出用のフィルタ（第７のフィルタ７２ｃ）が用いられる。
【００９９】
また、読取モードが設定される前は、光検出ユニット７３は、第１および第２のフィルタマガジン７１，７２の下方からは退避された位置に配置され、光検出ユニット７３の第１および第２のフォトマルチプライア７３ａ，７３ｂに外光が入射しないように構成されている。
【０１００】
図１１は、第１の蛍光画像読取モードが設定された場合の第１および第２のフィルタマガジン７１，７２と光検出ユニット７３との相対的な位置関係を示す図である。第１の蛍光画像読取モードが設定された場合には、制御部１１により第１の搬送ベルト機構８２および第２の搬送ベルト機構８４とリニアモータ８５が駆動制御されることによって、第１および第２のフィルタマガジン７１，７２と光検出ユニット７３とが、図１１に示すような配置とされる。
【０１０１】
具体的には、第１の蛍光画像読取モードの場合には、下段の第２のフィルタマガジン７２の第７のフィルタ７２ｂのみに蛍光Ｌが入射されるように第１および第２の搬送ベルト機構８２，８４が駆動制御され、第１のフォトマルチプライア７３ａによって蛍光Ｌが検出されるようにリニアモータ８５が駆動制御される。
【０１０２】
図１２は、第２の蛍光画像読取モードが設定された場合の第１および第２のフィルタマガジン７１，７２と光検出ユニット７３との相対的な位置関係を示す図である。
【０１０３】
第２の蛍光画像読取モードの場合には、下段の第２のフィルタマガジン７２の第７のフィルタ７２ｃのみに蛍光Ｌが入射されるように第１および第２の搬送ベルト機構８２，８４が駆動制御され、第２のフォトマルチプライア７３ｂによって蛍光Ｌが検出されるようにリニアモータ８５が駆動制御される。
【０１０４】
図１３は、第３の蛍光画像読取モードが設定された場合の第１および第２のフィルタマガジン７１，７２と光検出ユニット７３との相対的な位置関係を示す図である。
【０１０５】
第３の蛍光画像読取モードの場合には、下段の第２のフィルタマガジン７２の第８のフィルタ７２ｄのみに蛍光Ｌが入射されるように第１および第２の搬送ベルト機構８２，８４が駆動制御され、第２のフォトマルチプライア７３ｂによって蛍光Ｌが検出されるようにリニアモータ８５が駆動制御される。
【０１０６】
図１４は、第４の蛍光画像読取モードが設定された場合の第１および第２のフィルタマガジン７１，７２と光検出ユニット７３との相対的な位置関係を示す図である。
【０１０７】
第４の蛍光画像読取モードの場合には、下段の第２のフィルタマガジン７２の第９のフィルタ７２ｅのみに蛍光Ｌが入射されるように第１および第２の搬送ベルト機構８２，８４が駆動制御され、第２のフォトマルチプライア７３ｂによって蛍光Ｌが検出されるようにリニアモータ８５が駆動制御される。
【０１０８】
図１５は、第５の蛍光画像読取モードが設定された場合の第１および第２のフィルタマガジン７１，７２と光検出ユニット７３との相対的な位置関係を示す図である。
【０１０９】
第５の蛍光画像読取モードの場合には、上段の第１のフィルタマガジン７１の第２のフィルタ７１ｂおよび下段の第２のフィルタマガジン７２の遮光筒７２ａに蛍光Ｌが入射されるように第１および第２の搬送ベルト機構８２，８４が駆動制御され、第２のフォトマルチプライア７３ｂによって蛍光Ｌが検出されるようにリニアモータ８５が駆動制御される。
【０１１０】
図１６は、第６の蛍光画像読取モードが設定された場合の第１および第２のフィルタマガジン７１，７２と光検出ユニット７３との相対的な位置関係を示す図である。
【０１１１】
第６の蛍光画像読取モードの場合には、上段の第１のフィルタマガジン７１の第３のフィルタ７１ｃおよび下段の第２のフィルタマガジン７２の遮光筒７２ａに蛍光Ｌが入射されるように第１および第２の搬送ベルト機構８２，８４が駆動制御され、第２のフォトマルチプライア７３ｂによって蛍光Ｌが検出されるようにリニアモータ８５が駆動制御される。
【０１１２】
図１７は、第１の濃度計測モードが設定された場合の第１および第２のフィルタマガジン７１，７２と光検出ユニット７３との相対的な位置関係を示す図である。なお、第１の濃度計測モードにおいては、上述したようにサンプル２２上に蛍光板が設置される。この蛍光板は、サンプル２２上に直接設置するようにしてもよいし、支持部材などを用いて蛍光板を支持することによってサンプル２２と間隔を空けて設置するようにしてもよい。
【０１１３】
そして、Ｃｙ３の蛍光を検出する際と同様に、第２の励起光源５２が用いられ、５３２ｎｍの励起光Ｅによってサンプル２２が走査される。サンプル２２に照射された励起光Ｅは、サンプル２２を透過して蛍光板に照射される。励起光Ｅの照射によって蛍光板から発せられた蛍光Ｌはサンプル２２を透過した後、光学ヘッド２３に入射され、検出部７０によって検出される。このようにサンプル２２を透過した蛍光を検出することによって、サンプル２２の光学的な濃度を検出することができる。サンプル２２としては、たとえばＣＢＢ染色または銀染色されたタンパク質を含むゲル支持体などがある。
【０１１４】
そして、第１の濃度計測モードの場合には、上段の第１のフィルタマガジン７１の第１のフィルタ７１ａおよび下段の第２のフィルタマガジン７２の第８のフィルタ７２ｄに蛍光Ｌが入射されるように第１および第２の搬送ベルト機構８２，８４が駆動制御され、第２のフォトマルチプライア７３ｂによって蛍光Ｌが検出されるようにリニアモータ８５が駆動制御される。
【０１１５】
図１８は、第２の濃度計測モードが設定された場合の第１および第２のフィルタマガジン７１，７２と光検出ユニット７３との相対的な位置関係を示す図である。なお、第２の濃度計測モードにおいても、上述したようにサンプル２２上に蛍光板が設置される。
【０１１６】
そして、Ｃｙ２の蛍光を検出する際と同様に、第１の励起光源５１が用いられ、４８８ｎｍの励起光Ｅによってサンプル２２が走査される。サンプル２２に照射された励起光Ｅは、サンプル２２を透過して蛍光板に照射される。励起光Ｅの照射によって蛍光板から発せられた蛍光Ｌはサンプル２２を透過した後、光学ヘッド２３に入射され、検出部７０によって検出される。
【０１１７】
そして、第２の濃度計測モードの場合には、上段の第１のフィルタマガジン７１の第１のフィルタ７１ａおよび下段の第２のフィルタマガジン７２の第７のフィルタ７２ｃに蛍光Ｌが入射されるように第１および第２の搬送ベルト機構８２，８４が駆動制御され、第２のフォトマルチプライア７３ｂによって蛍光Ｌが検出されるようにリニアモータ８５が駆動制御される。
【０１１８】
上述したように、各読取モードに応じて第１および第２のフィルタマガジン７１,７２および光検出ユニット７３の相対的な位置関係が制御される。
【０１１９】
次に、図１に戻り、画像生成部１２は、入力されたデジタル画像信号に対して信号処理を施すことによって、表示装置３０に出力されて表示される１枚の全体画像信号を生成するものである。画像生成部１２によって生成された全体画像信号は、制御部１１によって表示装置３０に表示される。
【０１２０】
濃度計測部１３は、入力されたデジタル画像信号に対して、予め設定された変換処理を施すことによって濃度値を算出するものである。濃度計測部１３には、デジタル画像信号と濃度値とを対応づけたルックアップテーブルまたはこれらの関係を表す関数が予め設定されており、濃度計測部１３は、上記ルックアップテーブルまたは関数を用いて濃度値を算出する。
【０１２１】
濃度計測部１３によって計測された濃度値は、制御部１１によって表示装置３０にテキスト表示またはグラフ表示などされる。
【０１２２】
次に、本実施形態の画像読取システムの作用について、図１９に示すフローチャートを参照しながら説明する。
【０１２３】
まず、第１のフィルタマガジン７１のフィルタトレイ１００内に、所望の第１〜第５のフィルタ７１ａ〜７１ｅが選択されて設置された後、検出部７０の上段の第１の固定台７４に第１のフィルタマガジン７１が設置される（Ｓ１０）。
【０１２４】
そして、第１および第２のフィルタマガジン７１，７２および光検出ユニット７３が、図１０に示した初期設定の位置に配置された後（Ｓ１２）、第１のフィルタマガジン７１の第１〜第５のフィルタ７１ａ〜７１ｅと、第２のフィルタマガジン７２の遮光筒７２ａおよび第６〜第９のフィルタ７２ｂ〜７２ｅとに設けられた金属片パターン７９を、それぞれ第１および第２の光学センサ８０，８６を通過させることによって、その情報が読み出されて制御部１１によって取得される（Ｓ１４）。
【０１２５】
次いで、ユーザによって入力装置４０を用いて読取モードが設定入力される（Ｓ１６）。読取モードの情報は制御部１１によって取得され、制御部１１は、入力された読取モードに基づいて、第１および第２の搬送ベルト機構８２，８４およびリニアモータ８５を駆動制御し、これにより第１のフィルタマガジン７１、第２のフィルタマガジン７２および光検出ユニット７３を移動させ、上述した各読取モードに応じた位置に配置させる（Ｓ１８）。
【０１２６】
そして、読取モードに基づいて、第１〜第５の励起光源５１〜５５のいずれかの励起光源から励起光Ｅが出射され、光学ヘッド２３がＸ方向に移動し、光学ヘッド支持基板４１がＹ方向に移動することによって、励起光Ｅによりサンプル２２が２次元状に走査される。そして、励起光Ｅの照射によってサンプル２２またはサンプル２２上に設置された蛍光板から発せられた蛍光Ｌが光学ヘッド２３に順次入射される。光学ヘッド２３に入射した蛍光Ｌは、穴開きミラー２５によって反射され、第１および第２のフィルタマガジン７１，７２を構成する少なくとも１つのフィルタを透過して、第１または第２のフォトマルチプライア７３ａ，７３ｂによって検出される（Ｓ２０）。
【０１２７】
第１または第２のフォトマルチプライア７３ａ，７３ｂによって検出されたアナログ画像信号は、Ａ/Ｄ変換器９１によってデジタル画像信号に変換された後、記憶部９２に記憶される。
【０１２８】
記憶部９２に記憶されたデジタル画像信号は、第１〜第６の蛍光画像読取モードのいずれかの読取モードが設定されている場合には、画像生成部１２に出力され、画像生成部１２は、入力されデジタル画像信号に信号処理を施して１枚の全体画像信号を生成する。全体画像信号は制御部１１に出力され、制御部１１は、入力された全体画像信号に基づいて、サンプル２２の蛍光画像を表示装置３０に表示させる（Ｓ２２）。
【０１２９】
または、第１または第２の濃度計測モードが設定されている場合には、記憶部９２に記憶されたデジタル画像信号は濃度計測部１３に出力され、濃度計測部１３は、入力されデジタル画像信号に基づいて濃度値を算出する。
【０１３０】
そして、制御部１１は、濃度計測部１３によって算出された濃度値を表示装置３０にテキスト表示またはグラフ表示させる（Ｓ２２）。
【０１３１】
上記実施形態の画像読取システム１によれば、第１および第２のフィルタマガジン７１，７２と光検出ユニット７３を一方向に並列して配置し、第１および第２のフィルタマガジン７１，７２および光検出ユニット７３をフィルタの配列方向に移動可能に構成するようにしたので、互いに異なる波長を有する蛍光をその蛍光の波長に応じた第１または第２のフォトマルチプライア７３ａ，７３ｂでそれぞれ検出することができ、かつ装置全体の小型化を図ることができる。
【０１３２】
なお、上記実施形態の画像読取システム１においては、第１および第２のフィルタマガジン７１，７２の２つのフィルタマガジンを用いるようにしたが、３つ以上のフィルタマガジンを一方向に並べて配置し、これらを独立して移動可能に構成するようにしてもよい。
【符号の説明】
【０１３３】
１     画像読取システム
１０   画像読取制御装置
１１   制御部
１２   画像生成部
１３   濃度計測部
２０   画像読取装置
２１   被検体支持部
２２   サンプル
２３   光学ヘッド
２４   凹面ミラー
２５   穴開きミラー
２５ａ 穴
２６   ミラー
２９   蛍光板
３０   表示装置
４０   入力装置
４１   光学ヘッド支持基板
５０   光源部
５１-５５      第１〜第５の励起光源
５６-６０      コリメータレンズ
６１，６６     ミラー
６２   第１のダイクロイックミラー
６３   第２のダイクロイックミラー
６４   第３のダイクロイックミラー
６５   第４のダイクロイックミラー
６７   光学系
７０   検出部
７１   第１のフィルタマガジン
７１ａ-７１ｅ  第１〜第５のフィルタ
７２   第２のフィルタマガジン
７２ａ 遮光筒
７２ｂ-７２ｅ  第６〜第９のフィルタ
７３   光検出ユニット
７３ａ 第１のフォトマルチプライア
７３ｂ 第２のフォトマルチプライア
７４   第１の固定台
７４ａ 第１の接続部材
７４ｂ 孔
７５   第１の軸
７６   第２の固定台
７６ａ 第２の接続部材
７７   第２の軸
７９   金属片パターン
８０   第１の光学センサ
８１，８３     駆動モータ
８２   第１のベルト搬送機構
８４   第２の搬送ベルト機構
８５   リニアモータ
８６   第２の光学センサ
９０   回路部
９１   変換器
９２   記憶部
９３   記憶部
１００ フィルタトレイ
１００ａ       把手部
１００ｅ       孔
１０１        ロックレバー
１０１ａ       連結部材
１０１ｂ       回動軸
１０１ｃ       ガイド部
１０１ｄ       係合部材
１０１ｅ       固定部
１０２ｂ       回動軸
２００        筐体
Ｅ     励起光
Ｌ     蛍光
【図１】
0006482486.tif 000002
【図２】
0006482486.tif 000003
【図３】
0006482486.tif 000004
【図４】
0006482486.tif 000005
【図５】
0006482486.tif 000006
【図６】
0006482486.tif 000007
【図７】
0006482486.tif 000008
【図８】
0006482486.tif 000009
【図９】
0006482486.tif 000010
【図１０】
0006482486.tif 000011
【図１１】
0006482486.tif 000012
【図１２】
0006482486.tif 000013
【図１３】
0006482486.tif 000014
【図１４】
0006482486.tif 000015
【図１５】
0006482486.tif 000016
【図１６】
0006482486.tif 000017
【図１７】
0006482486.tif 000018
【図１８】
0006482486.tif 000019
【図１９】
0006482486.tif 000020